(57)【要約】【課題】使用者がトレーの清掃等でトレーを取り外し、清掃が終了後に再度引出しにトレーを取り付ける際に、トレーの移動範囲を規制するストッパー部への衝突を防止し、一度取り外したトレーを再度取り付ける際に簡単に取り付けることができる引出し付きキャビネットを提供すること。【解決手段】引出し３またはトレー４のうちいずれか一方に、トレー４を後方にスライドさせた際にトレー４がストッパー部３２と衝突して停止することがないようにストッパー部３２を越えて後方にスライドすることが可能な衝突回避手段３１を設けた。【選択図】図６
2015062527.tif 000002
【特許請求の範囲】
【請求項１】
内部に収納空間を有するキャビネット本体と、
前記キャビネット本体に対し前後方向にスライドすることで前記収納空間に進退可能な
引出しと、
前記引出しの上方に配置されたトレーと、を備え、
前記引出しは、
前板と、前記前板の後方に設けられその上端部が前記前板の上端部よりも下方に位置する後板と、前記前板の下部と前記後板の下部との間に設けられた底板と、前記底板の左右
両側部で前記前板と前記後板との間に設けられた一対の側板と、前記一対の側板の上方で
前記前板と前記後板の間に設けられ前後方向に略水平に伸びる一対のロッドと、を有して
おり、
前記トレーは、
その下面のうち前方寄りの部分に設けられたロッド挟持部が前記ロッドを上下から挟持しているとともに、前記後板の上端部に取り付けられた支持部材によって前記下面が下方から支持されていることにより、前記引出しに対し前後方向にスライドすることが可能であり、
さらに、前記引出しは、前記引出しの後方に設けられて前記トレーが前方にスライドする領域を規制するストッパー部を有し、
前記引出しまたは前記トレーのうちのいずれか一方に、前記ロッドに載せた状態の前記トレーを後方にスライドさせる際に、前記トレーが前記ストッパー部と衝突して停止することがないように前記ストッパー部を越えて後方にスライドすることが可能な衝突回避手段を設けた
ことを特徴とするキッチンキャビネット。
【請求項２】
前記衝突回避手段は、前記支持部材と一体に形成した
ことを特徴とする請求項１記載のキッチンキャビネット。
【請求項３】
前記ストッパー部は、前記支持部材と一体に形成した
ことを特徴とする請求項２記載のキッチンキャビネット。
【請求項４】
前記衝突回避手段は、前記ロッドに載せた状態の前記トレーを後方にスライドさせる際に、前記トレーが前記ストッパー部を迂回するように、前記トレーの動きをガイドすることを特徴とする請求項１乃至３のいずれか１項に記載のキッチンキャビネット。
【請求項５】
前記衝突回避手段は、
前端から後方に向うにつれて上方に高くなるような傾斜面を有している
ことを特徴とする請求項４記載のキッチンキャビネット。
【請求項６】
前記衝突回避手段は、前記ロッドに載せた状態の前記トレーを後方にスライドさせる際に、前記ストッパーを前記トレーのスライド軌跡上から退避させることを特徴とする請求項３記載のキッチンキャビネット。
【請求項７】
前記衝突回避手段は、
前記ロッドに載せた状態の前記トレーを後方側にスライドさせ前記支持部材に衝突する際に、前記支持部材が後方側への力を受けると前記支持部材を後方側へ回転させる構成にするとともに、前記支持部材が後方側への力を受けなくなると、前記支持部材は直立の状態に戻る構成とし、
さらに、前記衝突回避手段は前記支持部材が直立の状態より前方側への回転を規制した
ことを特徴とする請求項６記載のキッチンキャビネット。
【請求項８】
前記衝突回避手段は、
前記ロッドに載せた状態の前記トレーを後方側にスライドさせ前記支持部材に衝突する際に、前記支持部材が後方への力を受けると前記支持部材が下方へ降下するように構成するとともに、前記支持部材が後方側への力を受けなくなると、前記支持部材は上昇するよう構成したことを特徴とする請求項６記載のキッチンキャビネット
【発明の詳細な説明】
【技術分野】
【０００１】
本発明は、キャビネット本体に対し前後方向にスライドする引出しを備えたキッチンキャビネットに関する。
【背景技術】
【０００２】
システムキッチンに広く用いられているキッチンキャビネットでは、スライド動作によって取り出し可能な収納物を増やすために、収納物を取り出そうとする使用者が最初にスライドさせる引出しとは別に、トレーを設けたものが知られている。
【０００３】
下記特許文献１には、キャビネット本体に設けられるレール（以下、「引出し用レール」と称する）に沿って引出しがスライドし、その引出しの上方にトレーが設けられる引出しキャビネットが開示されている。この引出しの後板には回転自在なスライド用ローラーが取り付けられ、トレーはこのスライド用ローラーによってその下面を下方から支持される。これにより、使用者が引出しを前後方向にスライドさせる動作に伴って、又はトレー単独で、トレーを引出しと同一方向（前後方向）にスライド可能とすることが開示されている。
【０００４】
また、下記特許文献２には、互いに連動してスライドする引出し（下段引出し）とトレー（上段引出し）とが設けられた引出し装置が開示されている。詳細には、左右一対のレールが引出しの上部に設けられおり、トレーはその一対のレールの間に配置されている。トレーは、その左右両側面においてレールに支持されており、前後方向にスライドすることが可能となっている。
【先行技術文献】
【特許文献】
【０００５】
【特許文献１】特開２００１−２７５７６８号公報
【特許文献２】特開２００２−２３８６８３号公報
【発明の開示】
【発明が解決しようとする課題】
【０００６】
しかしながら、上記特許文献１に記載されているような構成の引出し付きキャビネットにおいては、トレーを前後方向にスライドさせることでトレーを取り外すことなく、トレーの下方にある収納物を取り出すことを目的としたものであり、トレーを取外して再度引出しに装着する際に、引出しの側面の上端にトレーを載せて後方側にスライドさせると、トレーの後端とスライド用ローラーが衝突してしまい、スライド用ローラーよりも後方へ移動しなくなってしまう。さらにひどい場合は、トレーとスライド用ローラーが衝突することでスライド用ローラー及びトレーが破損してしまい、トレーをスライドさせることができなくなる恐れがあった。
【０００７】
上記特許文献１には、この他にも、引出し内をスライドするトレーの前方側への移動を規制していないため、引出し内の前方に背の高い調味料等を収納した場合、トレーが背の高い調味料と衝突してしまい調味料の瓶が割れてしまう恐れがあった。
【０００８】
上記特許文献２に記載されているような構成の引出し付きキャビネットにおいても、上記特許文献１と同様にトレーを前後方向にスライドさせることでトレーを取り外すことなくトレーの下方にある収納物を取り出すことを目的としたものであり、トレーを取外して再度引出しに装着する際はガイドレールを上下方向から挟み込むようにトレーを装着する必要があり、ガイドレール上にトレーを載せて下方向に移動させると、ガイドレールとトレーに負荷がかかり破損する恐れがあった。トレー及びガイドレールが破損するとトレーを再度スライドさせることができなくなる恐れがある。また、上記特許文献１と同様に、トレーの前方側への移動を規制していないため、引出し内の前方に背の高い調味料等を収納した場合、トレーが背の高い調味料と衝突してしまい調味料の瓶が割れてしまう恐れがあった。
【０００９】
本発明はこのような課題に鑑みてなされたものであり、その目的は、使用者がトレーの清掃等でトレーを取り外し、清掃が終了後に再度引出しにトレーを取り付ける際に、トレーの移動範囲を規制するストッパー部への衝突を防止し、一度取り外したトレーを再度取り付ける際に簡単に取り付けることができるキッチンキャビネットを提供することである。
【課題を解決するための手段】
【００１０】
上記課題を解決するために、本発明に係るキッチンキャビネットは、内部に収納空間を有するキャビネット本体と、キャビネット本体に対し前後方向にスライドすることで収納空間に進退可能な引出しと、引出しの上方に配置されたトレーと、を備え、引出しは、前板と、前板の後方に設けられその上端部が前板の上端部よりも下方に位置する後板と、前板の下部と後板の下部との間に設けられた底板と、底板の左右両側部で前板と後板との間に設けられた一対の側板と、一対の側板の上方で前板と後板の間に設けられ前後方向に略水平に伸びる一対のロッドと、を有しており、トレーは、その下面のうち前方寄りの部分に設けられたロッド挟持部が前記ロッドを上下から挟持しているとともに、後板の上端部に取り付けられた支持部材によって下面が下方から支持されていることにより、引出しに対し前後方向にスライドすることが可能であり、さらに、引出しは、引出しの後方に設けられてトレーが前方にスライドする領域を規制するストッパー部を有し、引出しまたはトレーのうちのいずれか一方に、ロッドに載せた状態のトレーを後方にスライドさせる際に、トレーが前記ストッパー部と衝突して停止することがないようにストッパー部を越えて後方にスライドすることが可能な衝突回避手段が設けられていることを特徴とする。
【００１１】
第一の発明は、トレーが引出しに対して後方に大きくスライドし、トレーの下面のうち後方の部分が、支持部材によって支持されない状態となった場合でも、トレーの姿勢はロッドを上下から挟持するロッド挟持部によって保持される。このため、後方への転倒を防止することができる。また、このロッド挟持部はトレーの下面に設けられているため、トレーの幅方向寸法が圧迫されて収納容量を小さくしてしまうこともない。すなわち、トレーの収納容量を維持しながらも、トレーを安定的にスライドさせることを可能とするものである。
【００１２】
また、トレーのスライドのために効果なレールを別途付設する必要がない。このような構成とすることで、製造コストの上昇を抑制することができる。また、複数のレールを敷設することによる摩擦力の増大を生じさせることもないため、スライド動作の際の操作力増大を抑え、実用上優れた引出し付きキャビネットを提供することができる。
【００１３】
また、トレーはストッパー部に規制されて前方へのスライド領域が規制されるため、引出しの前方寄りには、背の高い収納物を収納することができ、トレーが背の高い収納物である調味料等の瓶と衝突することがなく調味料等の瓶が割れる恐れがない。
【００１４】
また、トレーは引出しの上方側に位置しており、調理する際の使用頻度の高い調味料や調理器具を収納することができるため、使用者は引出しを開けることで一目で調味料や調理器具を把握することができる。したがって、使用頻度の高い調味料を使用する度に探す必要がなく調理の作業効率を向上させることができる。
【００１５】
さらに、調味料や調理器具を収納するためトレーは汚れてしまい不衛生な状態となることがあるが、トレーを外して清掃することができるため衛生的な状態を保つことができる。また、トレーの洗浄のために外したトレーを再装着する際には、ストッパー部は引出しから飛び出しているため、ロッドの上に載せたトレーを後方にスライドするとトレーとストッパー部が衝突してトレーが後方にスライドできなくなってしまうが、本発明は、衝突回避手段によってトレーがストッパー部を越えて後方にスライドさせることができるため、トレーの後方へのスライドの際にストッパー部が邪魔になることがなく、トレーの再装着を簡単に行うことができ、衝突することでトレーやストッパー部が破損することを防止することができる。
【００１６】
第二の発明は、衝突回避手段を支持部材と一体に形成することで、衝突回避手段とストッパー部を支持部材と一体化することで、製造コストを削減することができ、より低コストで実用上優れた引出し付きキャビネットを提供することができる。
【００１７】
第三の発明は、ストッパー部を支持部材と一体に形成することで、衝突回避手段とストッパー部および支持部材とを別々に製造することがなく、製造コストを削減することができ、より低コストで実用上優れた引出し付きキャビネットを提供することができる。
【００１８】
第四の発明は、衝突回避手段は、ロッドに載せた状態のトレーを後方にスライドさせる際に、トレーがストッパー部を迂回するように、トレーの動きをガイドするので、トレーを再装着する際にトレーがスライドする軌跡を変えるだけでトレーとストッパー部との衝突を回避することができ、使用者の再装着時の操作性を向上することができる。
【００１９】
第五の発明は、衝突回避手段が前端から後方に向うにつれて上方に高くなるような傾斜面を有していることで、トレーとストッパー部との衝突を簡単な構造で回避することができ、製造コストを削減することができるとともに、使用者の再装着時の操作性を向上することができる。
【００２０】
第六の発明は、衝突回避手段をロッドに載せた状態の前記トレーを後方にスライドさせ支持部材に衝突しようとする際に、支持部材が後方への力を受けると支持部材を後方側へ回転させる構成にするとともに、支持部材が後方への力を受けなくなると、ストッパー部は直立の状態に戻る構成とすることで再装着時にはトレーがストッパー部に衝突し後方へのスライドを防止されることがなく、使用者は簡単に再装着させることができる。さらに、衝突回避手段はストッパー部が直立の状態より前方側への回転を規制することでトレーの前方側への移動を規制することができる。また、使用者は、トレーがストッパー部を越えることで、後方側への力が不要となり、トレーがストッパー部に装着されたことを確認することができるので、ストッパー部を越える前に装着動作を終了することを防止することができる。
【００２１】
第七の発明は、衝突回避手段は、ロッドに載せた状態のトレーを後方にスライドさせる際に、ストッパーをトレーのスライド軌跡上から退避させるので、トレーの下面を支持部材から離すことなくスライドさせることができる。これにより、トレーをスライドさせる際のガタツキを抑え、トレーの再装着を大きな音をたてずに行うことができる。また、スライドの途中でトレーが上下動することがないので、トレーに調味料などを収納した状態で引出しに装着しても、調味料がキッチンキャビネット内で引っ掛かることなしに装着することができる。
【００２２】
第八の発明は、衝突回避手段を、ロッドに載せた状態のトレーを後方にスライドさせ支持部材に衝突する際に、支持部材が下方へ降下するように構成するとともに、支持部材が下方への力を受けなくなると、支持部材は上昇するよう構成することで、トレーが後方へスライドする力とトレーの重みによって支持部材が下方に降下するため、トレーとストッパー部が衝突することを防止でき、トレーを後方へスムーズにスライドさせ、簡単にトレーを再装着させることができる。さらに、使用者は、トレーがストッパー部を越えることで、後方への力が不要となり、後方への力が不要となることで、トレーが支持部材に支持されたことを確認することができるので、ストッパー部を越える前に装着動作を終了することを防止することができる。
【発明の効果】
【００２３】
本発明によれば、使用者がトレーの清掃等でトレーを取り外し、清掃が終了後に再度引出しにトレーを取り付ける際に、トレーの移動範囲を規制するストッパー部への衝突を防止し、一度取り外したトレーを再度取り付ける際に簡単に取り付けることができるキッチンキャビネットを提供することができる。
【図面の簡単な説明】
【００２４】
【図１】キッチンキャビネットの斜視図
【図２】キッチンキャビネットの斜視図
【図３】キッチンキャビネットの引出し及びトレーの分解斜視図
【図４】支持部材の斜視図
【図５】トレーが支持部材に装着されている状態の側面図
【図６】トレーの装着過程の側面図
【図７】衝突回避手段として支持部材を回動させる側面図
【図８】衝突回避手段として支持部材を上下方向に移動させる側面図
【図９】衝突回避手段をトレーに設けた側面図
【発明を実施するための形態】
【００２５】
以下、添付図面を参照しながら本発明の実施の形態について説明する。理解を容易にするため、各図面において同一の構成要素に対しては可能な限り同一の符号を付し、重複する説明は省略する。
【００２６】
まず、図１及び図２、図３、図４を参照して、本発明のキッチンキャビネット１の概略を説明する。図１及び図２は、本発明のキッチンキャビネット１の斜視図であり、図３は、本発明のキッチンキャビネット１の引出し３及びトレー４の分解斜視図であり、図４は、支持部材３０の斜視図である。
【００２７】
図１及び図２に示すように、キッチンキャビネット１は、キャビネット本体２と、引出し３と引出し３に取り付けられるトレー４とを備えている。
【００２８】
キャビネット本体２は、樹脂板や鋼板等で箱状に形成されている。その内部空間は収
納空間５となっており、その前面側において開放されている。キャビネット本体２の左右側面を構成するキャビネット側板１４の内面には、前後方向に伸びる左右一対の引出し用レール（図示しない）が固定されている。
【００２９】
引出し３は、前板１０と、上端部が前板１０の上端部よりも下方に位置する後板１１と、前板１０の下部と後板１１の下部との間に設けられた底板１３と、底板１３の左右両側部で前板１０と後板１１との間に設けられた左右一対の側板１２とを備えている。側板１２は、その上端部が後板１１の上端部よりも下方に位置している。側板１２の上方には、断面形状が円形状の左右一対のロッド２０が前板１０と後板１１の間で略水平に設けられている。側板１２の外側における側面には前後方向に伸びるレール溝（図示しない）が形成されており、このレール溝にキャビネット本体２の引出し用レール（図示しない）が挿入されて係合する。これにより、使用者は、前板１０を掴み、引出し３をキャビネット本体２に対し図１に矢印ＦＢで示す前後方向にスライドさせ、引出し３を収納空間５に進退させることができる。
【００３０】
トレー４は、引出し３よりも前後長を所定寸法短く形成され、上面が開放された収納空間を有し、そのトレー４を固定するために左右一対のロッド挟持部４０を備えている。トレー４は、その幅方向寸法が引出し３の幅方向寸法と略同一とされており、後板１１の上端部よりも上方で、且つ前板１０の上端部よりも下方に配置されている。ロッド挟持部４０は、トレー４の下面のうち前方寄りの部分に固定され、トレー４は、ロッド挟持部４０を介して引出し３のロッド２０に取り付けられる。
【００３１】
支持部材３０は図３及び図４に示すように、後板１１の左右両側の上端部に取り付けられている。支持部材３０がトレー４の下面のうちロッド挟持部４０よりも後方の部分をトレー４の下面を下方から支持することで、トレー４が前後方向の移動を支持している。
【００３２】
ロッド挟持部４０は、ロッド２０を上下から狭持された状態で保持され、トレー４を外側から挟みこむようにして固定されている。ロッド挟持部４０とトレー４の固定方法は、例えば、ネジによって固定される。ネジによって固定されているため、ネジを取外すことで、トレー４はロッド２０に対して着脱可能である。また、図５に示すように、後板１１に固定されているストッパー部３２がトレー４内に挿入されることで、トレー４が引出し３の前板１０まで移動し、引出し３の前方側に収納している背の高い収納物にトレー４が衝突しないように前方側への移動を規制している。
【００３３】
次に、図２及び図４を参照して、トレー４の転倒防止について説明する。
【００３４】
トレー４が引出し３に対して後方に大きくスライドし、トレー４の下面のうち後方の部分が、支持部材３０によって支持されない状態となった場合を考える。この場合、トレー４の自重及び収納物の重みにより、トレー４には、支持部材３０によって支持されている位置を中心としてトレー４の前側を浮き上がらせるような回転モーメントが生じる。
【００３５】
しかし、この際、トレー４の前方寄りの部分に固定されているロッド挟持部４０において、上記回転モーメントに抗してこの浮き上がりを抑える。これにより、トレー４の姿勢を保持して転倒が防止され、安定的にトレー４をスライドさせて使用することが可能となる。
【００３６】
また、ロッド挟持部４０はトレー４の外側から固定されていることから、トレー４の収納容量を十分に確保しながらも、トレー４の転倒を防止することが可能となる。
【００３７】
さらに、トレー４をスライドさせるためのレールを、引き出し用レール（図示しない）に加えて別途付設する必要がない。このため、製造コストの上昇を抑制することができるとともに、スライド動作の際の操作力増大を防止することも可能となる。
【００３８】
次に、図６を参照して、トレー４を再装着する過程について説明する。図６は、トレー４の装着過程の側面図である。
【００３９】
支持部材３０は、トレー４の前方側への移動を規制するストッパー部３２と、トレー４を再装着時にトレー４とストッパー部３２が衝突することを防止する衝突回避手段３１から構成される。
【００４０】
衝突回避手段３１は、図６に示すとおり、前方から後方に向うにつれて上昇するように傾斜する構成とする。
【００４１】
トレー４を引出し３に装着する過程として、先ず使用者はトレー４をロッド２０の上に置き、その後、トレー４を後方側へスライドさせる。トレーを後方側へスライドさせることで、ストッパー部３２まで到達し衝突するが、支持部材３０は衝突回避手段３１を備えているため、トレー４は衝突回避手段３１上を後方側斜め上方に進行方向を変え、ストッパー部３２を迂回するようにガイドされて、ストッパー部３２と衝突することなくスムーズに乗り越えることができ、トレー４を引出し３に装着することができる。このことにより、トレー４の装着を簡単に行うことができるとともに、トレー４がストッパー部３２に衝突してトレー４や支持部材３０及びストッパー部３２が破損することがない。さらに、支持部材３０に支持されたトレー４は、支持部材３０のストッパー部３２によって前方側への移動を規制され、引出し２の前方側に収納されている背の高い収納物と衝突することがない。
【００４２】
次に、本発明の他の実施形態について図７及び図８、図９を参照して説明する。上記した構成と共通する構成については説明を省略する。
【００４３】
図７は、衝突回避手段３１ａとして支持部材３０を回動させる側面図である。
【００４４】
支持部材３０は後方側の力を受けると衝突回避手段３１aによって矢印Ｒ方向へ回動するように構成される。また、後方側の力を受けなくなると、直立した状態に戻るように構成される。支持部材３０を回動させる手段としては、例えばバネ部材を用いることが考えられる。また、衝突回避手段３１ａは支持部材３０が固定されている後板１１によって直立の状態よりも前方側に回動することを規制されている。
【００４５】
トレー４を引出し３に装着する過程において、トレー４を後方側へスライドさせ、支持部材３０に後方側の力を加えると、支持部材３０は後方側へ回動し、トレー４がストッパー部３２を通過するとストッパー部３２は直立の状態に戻りトレー４は引出し３に装着される。
【００４６】
トレー４をスライドさせることで支持部材３０は回動して、ストッパー部３２をトレー４がスライドする軌跡上から退避させるため、トレー４がストッパー部３２に衝突して後方側へのスライドを防止されることがなく、使用者は簡単にトレー４と引出し３を装着させることができる。また、トレー４がストッパー部３２を通過した際に、ストッパー部３２は、直立した状態に戻るため、ストッパー部３２によって前方側への移動を規制することができる。さらに、使用者はトレー４がストッパー部３２を越えることで、後方側への力が不要となり、後方への力が不要となることで、トレー４が支持部材３０に装着されたことを確認することができるので、ストッパー部３２を越える前に装着動作を終了することを防止することができる。
【００４７】
図８は、衝突回避手段３１ｂとして支持部材３０を上下方向に移動させる側面図である。
【００４８】
トレー４を引出し３に装着する過程において、トレー４を後方側へスライドさせ、支持部材３０に後方側の力を加えると、支持部材３０は下方側である矢印Ｄ方向に移動し、トレー４がストッパー部３２を通過するとストッパー部３２は上方側である矢印Ｕ方向に移動しトレー４は引出し３に装着される。支持部材３０を上下方向に移動させる手段としては、例えばバネ部材を用いることが考えられる。
【００４９】
トレー４が支持部材３０を通過中は衝突回避手段３１ｂによって支持部材３０が下方側に移動するため、ストッパー部３２をトレー４がスライドする軌跡上から退避させて、使用者はトレー４をスムーズに後方側へ移動させることができ、ストッパー部３２を通過後は支持部材３０は上昇するため、トレー４を引出し３に簡単に装着することができる。また、トレー４をストッパー部３２に装着後は前方側への移動を規制することができる。さらに、使用者は、トレー４がストッパー部３２を越えることで、後方側への力が不要となり、後方への力が不要となることで、トレー４が引出し３に装着されたことを確認することができるので、ストッパー部を越える前に装着動作を終了することを防止することができる。
【００５０】
図９は、トレー４とストッパー部３２との衝突を回避するために衝突回避手段３１cをトレー４に設けた側面図である。
【００５１】
トレー４の後方かつ下方に、後方端に近づくにつれて上方に傾斜するような衝突回避手段３１ｃを設け、ストッパー部３２を迂回するようにガイドする構成とする。
【００５２】
トレー４がストッパー部３２と衝突しようとする際に、衝突回避手段３１ｃによって、トレー４は後方側斜め上方に進行方向を変化させるようにして、トレー４とストッパー部３２とが衝突することを防止することができる。ストッパー部３２を通過後はトレー４がストッパー部３２から落下するようにしてトレー４を引出し３に装着することができる。
【００５３】
以上、キッチンキャビネットの具体例を参照しつつ、本発明の実施の形態について説明したが、これら具体例に、当業者が適宜設計変更を加えたものも、本発明の特徴を備えている限り、本発明の範囲に包含される。  例えば、衝突回避手段として、トレー４がストッパー部３２に衝突する部位を、前方のみに回動するようにした扉を設けてもよい。これによれば、トレー４を引出し３に装着する過程において、トレー４を後方側へスライドさせると、トレー４がストッパー部３２に衝突したときの力で扉が前方向きに開き、ストッパー部３２が開いた部分をすり抜けるようにしてトレー４がスライドして、引出し３に装着される。トレー４が引出し３に装着されれば、ストッパー部３２はトレー４内に挿入される。扉は後方には回動しないので、トレー４を引き出したときに扉がストッパー部３２に当たっても扉は開かず、ストッパー部３２はトレー４の前方側への移動を規制することができる。もちろん、トレー４の下面は支持部材３０から離れずにスライドするので、トレー４をスライドさせる際のガタツキを抑え、トレー４の再装着を大きな音をたてずに行うことができる。また、スライドの途中でトレー４が上下動することがないので、トレー４に調味料などを収納した状態で引出し３に装着しても、調味料がキッチンキャビネット内で引っ掛かることなく装着することができる。
【符号の説明】
【００５４】
１：キッチンキャビネット
２：キャビネット本体
３：引出し
４：トレー
５：収納空間
１０：前板
１１：後板 
１２：側板
１３：底板 
１４：キャビネット側板
２０：ロッド
３０：支持部材 
３１：衝突回避手段
３１ａ:衝突回避手段
３１ｂ：衝突回避手段
３１ｃ：衝突回避手段
３２：ストッパー部
４０：ロッド挟持
【図１】
2015062527.tif 000003
【図２】
2015062527.tif 000004
【図３】
2015062527.tif 000005
【図４】
2015062527.tif 000006
【図５】
2015062527.tif 000007
【図６】
2015062527.tif 000008
【図７】
2015062527.tif 000009
【図８】
2015062527.tif 000010
【図９】
2015062527.tif 000011